(57)【要約】【課題】ＵＷＢ通信の特徴を十分に生かしつつ、他の通信が使用する帯域への干渉を抑制することができるパルス発生装置、通信装置、および、通信方法を提供する。【解決手段】一定周波数の搬送波を順次のシンボル期間のうち該当するシンボル期間毎に該シンボル期間以内の所定の単位持続時間だけ継続的に発生させて当該単位持続時間によって規定されるパルス幅の被変調パルス信号を変調してベースバンド信号を担わせるに際して、通信の環境に係る所定の条件に応じて当該パルス幅を調節することによって被変調パルス信号の占有帯域を調節する。【選択図】図７
2008245247.tif 000002
【特許請求の範囲】
【請求項１】
所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生装置であって、
供給されたパルス幅制御信号に応じて前記被変調パルス信号の前記単位持続時間を調節することによって前記パルス幅を調節するパルス幅調節部を備えていることを特徴とするパルス発生装置。
【請求項２】
前記パルス幅調節部による前記パルス幅の調節に応じて前記搬送波の振幅を調節するパルス振幅調節部を備えていることを特徴とする請求項１に記載のパルス発生装置。
【請求項３】
所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生装置であって、供給されたパルス幅制御信号に応じて前記被変調パルス信号の前記単位持続時間を調節することによって前記パルス幅を調節するパルス幅調節部を備えるパルス発生装置と、
前記パルス幅制御信号を生成するパルス幅制御信号生成部と、
を備えていることを特徴とする通信装置。
【請求項４】
前記パルス幅制御信号生成部は、受信信号に係るビット誤り率、信号対ノイズ比、受信信号強度、および、帯域外ノイズのうちの何れかの値に応じて前記パルス幅制御信号を生成するように構成されていることを特徴とする請求項３に記載の通信装置。
【請求項５】
前記パルス幅制御信号生成部は、外部の電子機器から発せられた信号を受信し、前記受信された信号が担う情報に応じて前記パルス幅制御信号を生成するように構成されていることを特徴とする請求項３に記載の通信装置。
【請求項６】
外部の通信機器が送信モードまたは受信モードもしくは休止モードの何れかの稼動状態にあるかを検出する稼動状態検出部を備え、
前記パルス幅制御信号生成部は、前記稼動状態検出部により検出された前記稼動状態に応じて前記パルス幅制御信号を生成するように構成されていることを特徴とする請求項３に記載の通信装置。
【請求項７】
前記パルス幅制御信号生成部は、前記稼動状態が前記送信モードまたは前記受信モードにおける前記パルス幅を、前記休止モードにおける前記パルス幅と比べて広くするように前記パルス幅制御信号を生成することを特徴とする請求項６に記載の通信装置。
【請求項８】
前記パルス幅制御信号生成部は、前記稼動状態が前記受信モードにおける前記パルス幅を、前記送信モードにおける前記パルス幅と比べて広くするように前記パルス幅制御信号を生成することを特徴とする請求項６乃至７のいずれかに記載の通信装置。
【請求項９】
外部の電子機器の物理的な状態の量を検出するセンサを備え、
前記パルス幅制御信号生成部は、前記センサにより検出された前記物理的な状態の量に応じて前記パルス幅制御信号を生成するように構成されていることを特徴とする請求項３に記載の通信装置。
【請求項１０】
前記パルス幅制御信号生成部は、受信信号に係る受信品質に応じて前記外部の電子機器から発せられるパルス幅調整要求信号を受信し、前記受信したパルス幅調整要求信号に応じて前記パルス幅制御信号を生成するように構成されていることを特徴とする請求項５に記載の通信装置。
【請求項１１】
前記外部の通信機器から発せられた信号から通信に適用されているパルス幅を検出するパルス幅検出部を備え、
前記パルス幅制御信号生成部は、前記パルス幅検出部により検出されたパルス幅に応じて前記パルス幅制御信号を生成するように構成されていることを特徴とする請求項５に記載の通信装置。
【請求項１２】
前記パルス幅調節部により調節された前記パルス幅に基づいて、受信信号の帯域を調節する受信帯域調節部を備えていることを特徴とする請求項３に記載の通信装置。
【請求項１３】
電源の残量を検出する電源残量検出部を備え、
前記パルス幅制御信号生成部は、前記電源残量検出部により検出された前記電源の残量に応じて前記パルス幅制御信号を生成するように構成されていることを特徴とする請求項３に記載の通信装置。
【請求項１４】
前記外部の通信機器との通信距離を検出する通信距離検出部を備え、
前記パルス幅制御信号生成部は、前記通信距離検出部により検出された前記通信距離に応じて前記パルス幅制御信号を生成するように構成されていることを特徴とする請求項６に記載の通信装置。
【請求項１５】
前記パルス幅を表すパルス幅信号であって、送信された前記パルス幅信号を受信するパルス幅信号受信部と、
受信した前記パルス幅信号が表す前記パルス幅に基づいて、受信する信号の帯域を調節する受信帯域調節部と、
を備えていることを特徴とする請求項３乃至請求項１４のいずれか１項に記載の通信装置。
【請求項１６】
通信方式は、ウルトラワイドバンド方式であることを特徴とする請求項３乃至１５のいずれか１項に記載の通信装置。
【請求項１７】
所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生方法であって、
供給されたパルス幅制御信号に応じて前記被変調パルス信号の前記単位持続時間を調節することによって前記パルス幅を調節するパルス幅調節工程から構成されていることを特徴とするパルス発生方法。
【請求項１８】
送信すべき情報が重畳されている搬送波により規定されるパルスであって、その幅が当該搬送波の所定の周期分の長さと実質的に等しい前記パルスを生成することを特徴とするパルス発生装置。
【発明の詳細な説明】
【技術分野】
【０００１】
本発明は、例えば、パルスを用いた無線通信システムに適用されるパルス発生装置、通信装置、および、パルス発生方法に関する。
【背景技術】
【０００２】
近年、携帯電話や無線ＬＡＮ等の無線端末装置が著しく普及し、これらにおける通信において利用する周波数帯域もＧＨｚ帯域に及んでいる。このため、新しい周波数帯域を通信に利用することが困難な状況にある。
このような状況にあって、パルス幅が極めて狭い（例えば、１ｎｓ近辺）インパルス状のパルスを用いる通信方法は、周波数資源の新しい利用方法として注目されている。
【０００３】
このようなパルスを用いる通信方法として、例えば、下記特許文献１に記載された通信方法が提案されている。これらのパルスを用いた通信方法では、通常の連続波を用いた信号伝送とは異なり、断続的なエネルギーの送受信によって情報の伝送が行われる。このようなパルスを用いた通信方法は、低消費電力であり、且つ、装置の小型化を図り易いため、携帯電話機等のモバイル機器に適している。
【０００４】
また、パルスを用いた通信方法によって伝送される情報を担うために用いられるパルスは、上述のようにパルス幅が非常に狭く、従って、その周波数スペクトラムは通常の連続波を用いた通信よりも周波数帯域が広がり、信号のエネルギーが分散される。
その結果、単位周波数帯域当りの信号エネルギーは微小なものとなり、他の通信システムと干渉を起こす虞が少なく、周波数帯域の共有が可能になるとされている。
【０００５】
しかし、他の通信システムが近接していた場合はこの限りではない。例えば、電子機器の同一筐体内にパルスを用いた通信システムと他の通信システムとが混在しているような場合は、パルスを用いた通信システムにおける送受信双方のデバイス間における通信が他の通信システムに干渉を与えることが生じ得る。同様に、干渉を受けることも発生し得る。
上述のような問題に着目し、例えば特許文献２に示すように、他のデバイスへの干渉信号を最小化するための提案もなされている。
【０００６】
即ち、特許文献２には、通信品質をある程度保証しつつ電力を最小限に抑えるために、信号対ノイズ比（ＳＮＲ）やビット誤り率（ＢＥＲ）を検出し、符号化率（コーディングレート）、変調次数（ＢＰＳＫ，ＱＰＳＫ）、パルス間隔（クロックスピード）、送信電力を変更するといった技術が開示されている。
【０００７】
【特許文献１】特表平１０−５０８７２５号公報（要約、図１０）
【特許文献２】特開２００４−３３６７６４号公報（段落０００６〜段落００１３、図６）
【発明の開示】
【発明が解決しようとする課題】
【０００８】
しかしながら、特許文献２で開示されている技術は、符号化率（コーディングレート）、変調次数（ＢＰＳＫ，ＱＰＳＫ）、クロックスピードを可変にするといった従来の無線通信方法においても適用されている手法を、パルスを用いた通信に転用したものであるが、現実には、帯域の幅が非常に広いパルスを用いた通信の干渉波対策としては不十分であり、その通信システムに用いられる帯域が、他の通信で使用する帯域に及ぶ可能性が払拭されるものではない。
本発明は上述のような状況に鑑みてなされたものであり、近距離通信において、低消費電力かつ高品質であるパルスを用いた通信の特徴を生かしつつ、他の通信が使用する帯域への干渉を抑制することができるパルス発生装置、通信装置、および、パルス発生方法を提供することを目的としている。
【課題を解決するための手段】
【０００９】
上記課題を解決するべく、本願では次に列記するような技術を提案する。
（１）所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生装置であって、供給されたパルス幅制御信号に応じて前記被変調パルス信号の前記単位持続時間を調節することによって前記パルス幅を調節するパルス幅調節部を備えていることを特徴とするパルス発生装置。
【００１０】
上記（１）のパルス発生装置では、所定の単位持続時間に亘り一定の周波数を有する搬送波を発生させることにより、単位持続時間によって規定されるパルス幅を有し、ベースバンド信号に含まれる情報を担う被変調パルス信号が生成されるに際し、供給されたパルス幅制御信号に応じて、パルス幅調節部により、上述のパルス幅を調節することによって被変調パルス信号が占有する周波数帯域が調節されるため、このパルス発生装置を適用して構成されるシステムにおいて、他の通信が使用する帯域への干渉を抑制することが可能になる。
【００１１】
（２）前記パルス幅調節部による前記パルス幅の調節に応じて前記搬送波の振幅を調節するパルス振幅調節部を備えていることを特徴とする（１）のパルス発生装置。
上記（２）のパルス発生装置では、（１）のパルス発生装置において特に、パルス振幅調節部によって、パルス幅調節部による当該パルス幅の調節に応じて搬送波の振幅が調節されるため、送信電力が適切な値に調整される。
【００１２】
（３）所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生装置であって、供給されたパルス幅制御信号に応じて前記被変調パルス信号の前記単位持続時間を調節することによって前記パルス幅を調節するパルス幅調節部を備えるパルス発生装置と、前記パルス幅制御信号を生成するパルス幅制御信号生成部と、を備えていることを特徴とする通信装置。
上記（３）の通信装置では、自装置に備えられているパルス幅制御信号生成部で生成されるパルス幅制御信号によって被変調パルス信号のパルス幅が調節されることにより、被変調パルス信号が占有する周波数帯域が調節されるため、他の通信が使用する帯域への干渉を抑制することが可能になる。
【００１３】
（４）前記パルス幅制御信号生成部は、受信信号に係るビット誤り率、信号対ノイズ比、受信信号強度、および、帯域外ノイズのうちの何れかの値に応じて前記パルス幅制御信号を生成するように構成されていることを特徴とする（３）の通信装置。
上記（４）の通信装置では、（３）の通信装置において特に、受信信号に係るＢＥＲ、ＳＮＲ、ＲＳＳＩ、および、帯域外ノイズのうちの何れかの値に応じて出力パルスの幅が調節され得る。
【００１４】
（５）前記パルス幅制御信号生成部は、外部の電子機器から発せられた信号を受信し、前記受信された信号が担う情報に応じて前記パルス幅制御信号を生成するように構成されていることを特徴とする（３）の通信装置。
上記（５）の通信装置では、（３）の通信装置において特に、外部の電子機器から発せられた信号に応じて出力パルス幅が調節され得る。
【００１５】
（６）外部の通信機器が送信モードまたは受信モードもしくは休止モードの何れかの稼動状態にあるかを検出する稼動状態検出部を備え、前記パルス幅制御信号生成部は、前記稼動状態検出部により検出された前記稼動状態に応じて前記パルス幅制御信号を生成するように構成されていることを特徴とする（３）の通信装置。
上記（６）の通信装置では、（３）の通信装置において特に、稼動状態検出部により検出された送信モードまたは受信モードもしくは休止モードの何れかのモードに応じて出力パルス幅が調節され得る。
【００１６】
（７）前記パルス幅制御信号生成部は、前記稼動状態が前記送信モードまたは前記受信モードにおける前記パルス幅を、前記休止モードにおける前記パルス幅と比べて広くするように前記パルス幅制御信号を生成することを特徴とする（６）の通信装置。
上記（７）の通信装置では、（６）の通信装置において特に、送信モードまたは受信モードにおけるパルスの幅を休止モードの時よりも長くすることで、近傍の無線システムへの与干渉を抑制され得る。
【００１７】
（８）前記パルス幅制御信号生成部は、前記稼動状態が前記受信モードにおける前記パルス幅を、前記送信モードにおける前記パルス幅と比べて広くするように前記パルス幅制御信号を生成することを特徴とする（６）または（７）の通信装置。
上記（８）の通信装置では、（６）または（７）の通信装置において特に、受信モードにおけるパルスの幅を送信モードの時よりも長くすることで、近傍の無線システムへの与干渉を抑制され得る。
【００１８】
（９）外部の電子機器の物理的な状態の量を検出するセンサを備え、前記パルス幅制御信号生成部は、前記センサにより検出された前記物理的な状態の量に応じて前記パルス幅制御信号を生成するように構成されていることを特徴とする（３）の通信装置。
上記（９）の通信装置では、（３）の通信装置において特に、センサにより検出された外部の電子機器の物理的な状態の量に応じて出力パルス幅が調節され得る。
【００１９】
（１０）前記パルス幅制御信号生成部は、受信信号に係る受信品質に応じて前記外部の電子機器から発せられるパルス幅調整要求信号を受信し、前記受信したパルス幅調整要求信号に応じて前記パルス幅制御信号を生成するように構成されていることを特徴とする（５）の通信装置。
上記（１０）の通信装置では、（５）の通信装置において特に、受信信号に係る受信品質に応じて、出力パルス幅を調節するような通信装置である外部の電子機器から発せられたパルス幅制御信号に応じて出力パルス幅が調節され得る。
【００２０】
（１１）前記外部の通信機器から発せられた信号から通信に適用されているパルス幅を検出するパルス幅検出部を備え、前記パルス幅制御信号生成部は、前記パルス幅検出部により検出されたパルス幅に応じて前記パルス幅制御信号を生成するように構成されていることを特徴とする（５）の通信装置。
上記（１１）の通信装置では、（５）の通信装置において特に、外部の通信装置から発せられた信号から通信に適用されているパルス幅を検出し、検出したパルス幅に応じて出力パルス幅が調節され得る。
【００２１】
（１２）前記パルス幅調節部により調節された前記パルス幅に基づいて、受信信号の帯域を調節する受信帯域調節部を備えていることを特徴とする（３）の通信装置。
上記（１２）の通信装置では、（３）の通信装置において特に、パルス幅調節部により調節されて自装置が発するパルス信号のパルス幅に合わせて受信帯域調節部により受信信号の帯域が調節される。
【００２２】
（１３）電源の残量を検出する電源残量検出部を備え、前記パルス幅制御信号生成部は、前記電源残量検出部により検出された前記電源の残量に応じて前記パルス幅制御信号を生成するように構成されていることを特徴とする（３）の通信装置。
上記（１３）の通信装置では、（３）の通信装置において特に、電源の残量を検出し、検出した電源の残量に応じて出力パルス幅が調節され得る。
【００２３】
（１４）前記外部の通信機器との通信距離を検出する通信距離検出部を備え、前記パルス幅制御信号生成部は、前記通信距離検出手段により検出された前記通信距離に応じて前記パルス幅制御信号を生成するように構成されていることを特徴とする（６）の通信装置。
上記（１４）の通信装置では、（６）の通信装置において特に、外部の通信機器との通信距離を検出し、検出した通信距離に応じて出力パルス幅が調節され得る。
【００２４】
（１５）前記パルス幅を表すパルス幅信号であって、送信された前記パルス幅信号を受信するパルス幅信号受信部と、受信した前記パルス幅信号が表す前記パルス幅に基づいて、受信する信号の帯域を調節する受信帯域調節部と、を備えていることを特徴とする（３）乃至（１４）の通信装置。
上記（１５）の通信装置では、対応する通信装置から送信されるパルス幅信号に応じて受信帯域調節部によって自装置の受信信号の帯域を調節する。
【００２５】
（１６）通信方式は、ウルトラワイドバンド方式であることを特徴とする（３）乃至（１５）の通信装置。
【００２６】
（１７）所定の単位持続時間に亘り一定の周波数を有する搬送波を発生させることにより、前記単位持続時間によって規定されるパルス幅を有し、ベースバンド信号に含まれる情報を担う被変調パルス信号を生成するパルス発生方法であって、供給されたパルス幅制御信号に応じて前記被変調パルス信号の前記単位持続時間を調節することによって前記パルス幅を調節するパルス幅調節工程から構成されていることを特徴とするパルス発生方法。
【００２７】
上記（１７）のパルス発生方法では、所定の単位持続時間に亘り一定の周波数を有する搬送波を発生させることにより、前記単位持続時間によって規定されるパルス幅を有し、ベースバンド信号に含まれる情報を担う被変調パルス信号が生成されるに際し、供給されたパルス幅制御信号に応じて、上述のパルス幅を調節することによって被変調パルス信号が占有する周波数帯域が調節されるため、このパルス発生方法が適用されるシステムにおいて、他の通信が使用する帯域への干渉を抑制することが可能になる。
【００２８】
（１８）送信すべき情報が重畳されている搬送波により規定されるパルスであって、その幅が当該搬送波の所定の周期分の長さと実質的に等しい前記パルスを生成することを特徴とするパルス発生装置。
【００２９】
上記（１８）のパルス発生装置では、その幅が搬送波の所定の周期分の長さと実質的に等しいパルスが生成されるため、このパルス発生装置を適用して構成されるシステムにおいて、他の通信が使用する帯域への干渉を抑制することが可能になる。
【発明を実施するための最良の形態】
【００３０】
以下、本発明の実施例について図面を参照して説明する。尚、以下に参照する図においては、便宜上、説明の主題となる要部は適宜誇張し、要部以外については適宜簡略化乃至省略されている。
図１は、本実施例におけるパルス発生装置に属する一実施例の回路図である。図１（ａ）は、本実施例のパルス発生装置の回路を表し、図１（ｂ）は、図１（ａ）の回路の説明のために参照するパルス発生装置２００を表す図であり、図１（ａ）のパルス発生装置１００の原型となる。
【００３１】
説明の便宜上、図１（ｂ）のパルス発生装置２００について先に説明する。
複数段（図示の例では９段）のインバータ１０１、１０２、１０３、１０４、１０５、１０６、…、１０９の各段の出力は、図２を参照して後述する論理回路１５０にそれぞれ入力されるように構成され、所定の期間毎に繰り返し出現するパルス信号として出力される。
【００３２】
図２は、図１（ｂ）における論理回路１５０の詳細図を含むパルス発生装置２００を表す回路図である。また、図３は、図２のパルス発生装置２００における各部の信号波形図である。
図２において、インバータ１０１〜１０９は、９段のインバータを縦続接続し構成した遅延回路である。入力端子１３１に入力されたパルスＤ0は、図３（ｂ）〜（ｋ）に示すように、一段毎に時間ｔｄずつ遅れ、かつロジックが反転されながら遅延回路内を伝播し、各段から出力される。即ち、入力端子１３１に印加される信号を正論理とすると、ｉ段目にはｋを自然数として、
ｉ＝２ｋ−１のときは、ＸＤ2k-1
ｉ＝２ｋのときは、Ｄ2k
が出力される。ここで、Ｘは信号の否定論理を表し信号名に前置する。
【００３３】
ＮチャネルＭＯＳトランジスタ１１３および１１２は、それぞれ遅延回路の１段目の出力ＸＤ1と２段目の出力Ｄ2が高いときに導通してパルス出力端子１３０を第１の電位レベルＶ１に接続する。
次に、ＰチャネルＭＯＳトランジスタ１１０および１１１は、それぞれ遅延回路の２段目の出力Ｄ2と３段目の出力ＸＤ3が低い（すなわちＤ2の否定論理とＸＤ3の両方が高い（論理積が真の））ときに導通してパルス出力端子１３０を第２の電位レベルＶ２に接続する。
【００３４】
同様にＮチャネルＭＯＳトランジスタ１１６、１１７、１２０、１２１、１２４および１２５は、それぞれ遅延回路の２ｋ−１段目の出力ＸＤ2k-1と２ｋ段目の出力Ｄ2kが高いとき、すなわちＸＤ2k-1とＤ2kの論理積が真のとき、導通してパルス出力端子１３０を第１の電位レベルＶ１に接続する。
次に、ＰチャネルＭＯＳトランジスタ１１４，１１５，１１８，１１９，１２２および１２３は、それぞれ遅延回路の２ｋ段目の出力Ｄ2kと２ｋ＋１段目の出力ＸＤ2k+1が低いとき、すなわちＤ2kの否定ＸＤ2kとＸＤ2k+1の否定論理であるＤ2k+1の論理積が真のとき、導通してパルス出力端子１３０を第２の電位レベルＶ２に接続する。
以上のような動作によって図３（ｋ）に示すようなパルス波形を生成することができる。
【００３５】
図２に詳細が表記された図１（ｂ）のパルス発生装置２００は、上述のように構成され作動するが、図１（ａ）の本実施例のパルス発生装置１００の回路は、図１（ｂ）のパルス発生装置２００の回路構成におけるインバータ１０１、１０２、１０３、１０４、１０５、１０６、…、１０９による縦続接続回路部のうち、インバータ１０４〜１０９をＮＡＮＤ回路１０４ａ、１０５ａ、１０６ａ、…、１０９ａに置き換えることによって構成されている。
【００３６】
図示のように、各ＮＡＮＤ回路１０４ａ、１０５ａ、１０６ａ、…、１０９ａは、それらの各一方の入力端がインバータ１０４〜インバータ１０９の各入力端に対応し、それらの各出力端がインバータ１０４〜インバータ１０９の各出力端に対応する関係でこれらインバータ１０４〜インバータ１０９と置換され、且つ、これらＮＡＮＤ回路１０４ａ、１０５ａ、１０６ａ、…、１０９ａの各他端には、それぞれ、パルス幅制御信号ＣＴＬ１、ＣＴＬ２、ＣＴＬ３、…、ＣＴＬ６が供給されるように構成されている。
【００３７】
これらパルス幅制御信号ＣＴＬ１、ＣＴＬ２、ＣＴＬ３、…、ＣＴＬ６の供給の有無（パルス信号レベルのＨＬの如何）に応じて、対応するＮＡＮＤ回路１０４ａ、１０５ａ、１０６ａ、…、１０９ａがインバータとして機能するか否かが選択され、結果的に、図３（ｋ）におけるような所定周期毎の、毎回のパルスにおける搬送波の波数が選択されることになる。
【００３８】
以上の作用を、各実施例における共通の原理的作用を表す図２１を適宜参照して更に説明する。尚、以下の説明において、本実施例のパルス発生装置によって発生される出力信号に関する「パルス幅」とは、一定の周波数を有する搬送波を所定の単位持続時間に亘り持続して発生させる動作が間歇的に繰り返して行われる状態における当該単位持続時間である。
【００３９】
図２１は、本実施例における原理に係る作用を表す図である。図２１（ａ）および図２１（ｂ）は、それぞれ異なるパルス幅を成すべく生成される搬送波の様子を表す図である。
図２１（ａ）および図２１（ｂ）は、パルス幅Ｌの場合、および、パルス幅２Ｌの場合における搬送波の様子を説明の便宜上１シンボル期間についてのみ表したものである。
本実施例のパルス発生装置では、順次のシンボル期間のうち該当するシンボル期間毎に当該シンボル期間以内の所定の単位持続時間に亘り一定の周波数を有する搬送波を持続して発生させることにより、当該単位持続時間によって規定されるパルス幅（Ｌ、２Ｌ）を有すると共に、ベースバンド信号のそれぞれの対応区間において含まれる情報を担う断続的な被変調パルス信号が生成される。
【００４０】
図２１（ａ）および図２１（ｂ）に示すように、パルス幅は、Ｌまたは２Ｌの如く選択的に生成されるが、これは、図１（ａ）の本実施例のパルス発生装置の回路において、制御信号ＣＴＬ１、ＣＴＬ２、ＣＴＬ３、…、ＣＴＬ６の供給の有無（パルス信号レベルのＨＬの如何）に応じて、対応するＮＡＮＤ回路１０４ａ、１０５ａ、１０６ａ、…、１０９ａの何れの順位のものまでがインバータとして有効に機能するかを切換えることによって選択される。
【００４１】
即ち、図１（ａ）の本実施例のパルス発生装置において、制御信号ＣＴＬ１、ＣＴＬ２、ＣＴＬ３、…、ＣＴＬ６が各自己の他の入力端に供給されるように設けられたＮＡＮＤ回路１０４ａ、１０５ａ、１０６ａ、…、１０９ａは、このパルス発生装置のパルス幅調節部を構成している。
特に図２１（ａ）および図２１（ｂ）の例では、パルス幅は、前者が搬送波の周期の３倍、後者が搬送波の周期の６倍といったように、搬送波の周期の整数倍となるように選択されている。しかしながら、本発明の技術思想は、パルス幅を選択するについて、搬送波の周期の整数倍を選択することを必須とするものではない。
【００４２】
本実施例におけるように、パルス幅を調節すると、相対的にパルス幅が狭い図２１（ａ）の場合には、このパルス（搬送波による被変調パルス信号）が占有する周波数帯域は、図２１（ｃ）に表されたように相対的に広くなる。他方で、相対的にパルス幅が広い図２１（ｂ）の場合には、このパルス（該被変調パルス信号）が占有する周波数帯域は、図２１（ｄ）に表されたように相対的に狭いものとなる。
【００４３】
上述したパルスは、通信方式の１つであるウルトラワイドバンド（ＵＷＢ）方式に好適である。尚、本実施例の通信装置は、パルス幅調節部による当該パルス幅の調節に応じて搬送波の振幅を調節するパルス振幅調節部を更に備えている。
このようなパルス振幅調節部を備えることよって、図２１（ａ）に表されたように、相対的にパルス幅（Ｌ）が狭く、従って図２１（ｃ）に表されたように占有する周波数帯域（ｌ）が広くなる場合には、搬送波の振幅（Ａ１）を相対的に大きく調節する。他方で、図２１（ｂ）に表されたように、相対的にパルス幅（２Ｌ）が広く従って図２１（ｄ）に表されたように占有する周波数帯域（ｌ／２）が狭くなる場合には、搬送波の振幅（Ａ２）を相対的に小さく調節することが可能となり、送信電力は適切な値に調整される。
【００４４】
図２９は、パルス発生装置２３００の原理を示す図である。このパルス発生装置２３００は、ベースバンド装置２３６０から受けるベースバンド信号Ｓｂ用いて搬送波Ｓｃｒを変調することにより、被変調パルス信号Ｓｍを出力する。より詳しくは、パルス発生装置２３００では、局部発振器２３４０が、搬送波Ｓｃｒを継続的に生成し、オン／オフ時間制御装置２３５０が、パルス幅制御信号Ｓｃｔにより、例えば、パルス幅ＰＷ１の長さ及びパルス幅ＰＷ２の長さを規定し、論理積回路２３２０が、パルス幅の長さＰＷ１及びパルス幅ＰＷ２の長さの間だけ搬送波Ｓｃｒを出力する。続いて、ミキサ２３１０が、ベースバンド信号Ｓｂと、論理積回路２３２０から出力される搬送波Ｓｃｒとを乗算することにより、例えば、搬送波Ｓｃｒの２周期分（２個分）からなる、パルス幅ＰＷ１と等しい幅を有するパルスＰ１、及び、搬送波Ｓｃｒの３周期分（３個分）からなる、パルス幅ＰＷ２と等しい幅を有するパルスＰ２を含む被変調パルス信号Ｓｍを生成し、生成した被変調パルス信号Ｓｍをアンテナ２３７０へ出力する。
【００４５】
図４は、パルス発生装置の他の実施例を表す図である。このパルス発生装置は、例えば図１（ｂ）におけるようなパルス発生装置であって、インバータの縦続接続の段数を異にする複数ｎのパルス発生装置１、パルス発生装置２、…、パルス発生装置ｎの何れか一のものが、パルス幅制御信号ＣＴＬ４０に応答して入出力を選択的に切換えるパルス供給切換えスイッチ４１および出力パルス切換えスイッチ４２によって選択的に有効に機能することによって、出力信号のパルス幅が選択的に切換えられる。
即ち、パルス発生装置１、パルス発生装置２、…、パルス発生装置ｎはインバータの縦続接続の段数に応じて各異なる単位持続時間に亘り、一定の周波数を有する搬送波を持続して発生させるものであり、これらのうちの何れかが選択的に機能する。
【００４６】
図５は、パルス発生装置の更に他の実施例を表す図である。図５（ａ）のパルス発生装置は、動作中は一定の周波数を有する搬送波を持続して発生させる発振器５１に対し、制御信号（パルス幅制御信号）ＣＴＬ５ａを供給し、該供給された制御信号ＣＴＬ５ａに応じて発振器５１の動作の断続を制御することによってパルス幅を調節するように構成されたものである。
【００４７】
図５（ｂ）のパルス発生装置は、一定の周波数を有する搬送波を持続して発生させる発振器５２の出力側にゲート回路（ＡＮＤゲート）５３を接続し、このゲート回路５３の開閉を制御信号（パルス幅制御信号）ＣＴＬ５ｂによって制御することによって、ゲート回路５３の出力端に得られる信号のパルス幅を調節するように構成されたものである。
図５（ｃ）のパルス発生装置は、一定の周波数を有する搬送波を持続して発生させる発振器５４の出力側にスイッチ回路５５を接続し、このスイッチ回路５５の開閉を制御信号（パルス幅制御信号）ＣＴＬ５ｃによって制御することによって、スイッチ回路５５の出力端に得られる信号のパルス幅を調節するように構成されたものである。
【００４８】
図６は、図５の各パルス発生装置に適用される制御信号（パルス幅制御信号）を生成するための回路の例を示す図である。
図６（ａ）の制御信号発生回路は、図５の発振器５１（５２，５４）から出力されるパルスにおける搬送波の波数をカウンタ６１によって計数し、その計数値に基づいて予定されたパルス幅である単位持続時間に相応した値だけ発振器５１の作動を持続させる信号ＣＴＬ５ａ、または、ゲート回路（ＡＮＤゲート）５３を開状態にする信号ＣＴＬ５ｂ、或いは、スイッチ回路５５を閉成するような信号ＣＴＬ５ｃとして用いられる制御信号（パルス幅制御信号）ＣＴＬ６ａを発するものである。
【００４９】
図６（ｂ）の制御信号発生回路は、図５の発振器５１（５２，５４）から出力されるパルス（搬送波）をコンデンサ６２によって積分し、その積分値と基準電圧６３（この基準電圧６３自体も条件に応じて可変である）とを比較器６４で比較し、その比較結果に基づいて、予定されたパルス幅である単位持続時間に相応した値だけ発振器５１の作動を持続させる信号ＣＴＬ５ａ、または、ゲート回路（ＡＮＤゲート）５３を開状態にする信号ＣＴＬ５ｂ、或いは、スイッチ回路５５を閉成するような信号ＣＴＬ５ｃとして用いられる制御信号（パルス幅制御信号）ＣＴＬ６ｂを発するものである。
図６（ｃ）の制御信号発生回路は、通信装置全体を統括的に管理するシステムコントローラ６５内に制御信号（パルス幅制御信号）ＣＴＬ６ｃを発する部分が一機能部として設けられる構成である。
【００５０】
図７は、通信装置に属する一実施例を表すブロック図である。この図７では、特に通信装置７００における要部である送信機能部７００ａが表されている。この通信装置７００は、図１ないし図６を参照して説明したようなパルス幅調整機能部を有し、更に図２１を参照して説明したように、振幅を調整する振幅制御信号生成部を有するパルス発生装置７１０を適用している。そして、このパルス発生装置７１０に、パルス幅調整のためのパルス幅制御信号ＣＴＬ７ａおよび振幅調整のための振幅制御信号ＣＴＬ７ｂを、この通信装置７００系全体を統括的に管理するシステムコントローラ７２０内のパルス幅および振幅制御信号生成部７２１から供給するように構成されている。
【００５１】
この通信装置７００は、自己の送信機能部７００ａに適用されたパルス発生装置７１０において、順次のシンボル期間のうち該当するシンボル期間毎に当該シンボル期間以内の所定の単位持続時間に亘り一定の周波数を有する搬送波を持続して発生させることにより、当該単位持続時間によって規定されるパルス幅を有し、ベースバンド信号の対応区間における情報を担う断続的な被変調パルス信号が生成される。
【００５２】
この場合、システムコントローラ７２０内のパルス幅および振幅制御信号生成部７２１から供給されるパルス幅および振幅制御信号によって、被変調パルス信号の当該単位持続時間であるパルス幅および振幅を調節する。
この調節によって、被変調パルス信号が占有する周波数帯域が調節されるため、このパルス発生装置を適用して構成されるシステムにおいて、他の通信が使用する帯域への干渉を抑制することが可能になる。更に、パルス幅調節部による被変調パルス信号の当該パルス幅の調節に応じて搬送波の振幅が調節されるため、送信電力が適切な値に調整される。
【００５３】
例えば、図２１（ｃ）および図２１（ｄ）に表されたように、図２１（ａ）におけるようなパルス幅Ｌから図２１（ｂ）におけるように２倍のパルス幅２Ｌにパルス幅を広げると、図２１（ｄ）におけるように占有帯域が１／２倍に狭まると共に、パワーが２倍になる。従って、搬送波の振幅を１／２の平方根倍に狭めて、送信電力が更に増大して規制値を逸脱してしまうことを抑止する。
尚、図７を参照して説明した通信装置に係る技術は、図７の通信装置７００内に送信機能部７００ａを上述の如く構成する場合のみに限定されるものではなく、送信機能部７００ａを単独の送信装置（即ち、そのような通信装置）として構成する場合をも含む技術思想であることは勿論である。
【００５４】
図８は、通信装置に属する他の実施例を表すブロック図である。この図８では、特に通信装置８００における要部である受信機能部８００ａが表されている。通信装置８００の送信機能部は、図７を参照して説明した送信機能部７００ａと同様に構成されていてもよい。
この通信装置８００では、同種の外部の通信装置の送信機能部において被変調パルス信号の当該単位持続時間であるパルス幅および振幅が調節されるときに、外部の通信装置から発せられる、被変調パルス信号の当該パルス幅の調節値を表す信号を受信し、当該パルス幅の調節値に対応するように受信信号の帯域を調節する受信帯域調節部を、自己の受信機能部に備えている。
【００５５】
即ち、受信信号の帯域を調節する受信帯域調節部としての帯域幅可変フィルタ回路８１０に、その通過帯域を調整する受信帯域制御信号ＣＴＬ８を、この通信装置８００の系全体を統括的に管理するシステムコントローラ８２０内の受信帯域調整機能部８２１から供給するように構成されている。
図８の通信装置においても、その送信機能部については、図７の通信装置における送信機能部と同様の構成を有するため、順次のシンボル期間のうち該当するシンボル期間毎に当該シンボル期間以内の所定の単位持続時間に亘り一定の周波数を有する搬送波を持続して発生させることにより当該単位持続時間によって規定されるパルス幅を有しベースバンド信号の対応区間における情報を担う断続的な被変調パルス信号が生成されるに際し、パルス幅制御信号生成部から供給されたパルス幅制御信号に応じて、パルス幅調節部により、被変調パルス信号の当該単位持続時間を調節することによって被変調パルス信号が占有する周波数帯域が調節されるため、このパルス発生装置を適用して構成されるシステムにおいて、他の通信が使用する帯域への干渉を抑制することが可能になる。
【００５６】
また、自装置の受信機能部に備えられた受信帯域調節部（帯域幅可変フィルタ回路８１０、受信帯域調整機能部８２１）によって、当該パルス幅の調節値に対応するように受信信号の帯域が調節される。このため、他の通信機器からの干渉を被ることが極小となるように受信に係る周波数帯域が調整され得る。
尚、図８を参照して説明した通信装置に係る技術は、図８の通信装置８００内にその受信機能部８００ａを上述の如く構成する場合のみに限定されるものではなく、受信機能部８００ａを単独の受信装置（即ち、そのような通信装置）として構成する場合をも包摂する技術思想であることは勿論である。
【００５７】
図９は、図８における帯域幅可変フィルタ回路８１０の一の構成例を表す図である。図９では帯域幅可変フィルタについて、改めて参照符号９００を割当てている。この帯域幅可変フィルタ回路９００は、図示のように、インダクタ９０１の入力端および出力端にそれぞれバラクタ（可変容量コンデンサ）９０２および９０３の各一端が接続され、それらバラクタ９０２および９０３の他端側が接地されて構成され、且つ、バラクタ９０２および９０３には図８における受信帯域制御信号ＣＴＬ８と同様の制御信号ＣＴＬ９が供給されて、それらの容量値が調節されることによって帯域幅可変フィルタ回路９００の通過帯域が変更されるように構成されている。
【００５８】
図１０は、図８における帯域幅可変フィルタ回路８１０の他の構成例を表す図である。図１０では帯域幅可変フィルタについて、改めて参照符号１０００を割当てている。帯域幅可変フィルタ１０００は所謂フィルタバンクを構成しており、通過特性を異にするｎ個のフィルタ１、フィルタ２、…、フィルタｎの入力側に入力切換えスイッチ１００１が、出力側に出力切換えスイッチ１００２が各設けられ、これらの切換えスイッチ１００１、１００２が図８における受信帯域制御信号ＣＴＬ８と同様の制御信号ＣＴＬ１０によって切換え制御されることによって上述のｎ個のフィルタのうちの何れか一のものが選択的に適用されるように構成されている。
【００５９】
図１１は、図８における帯域幅可変フィルタ回路８１０の更に他の構成例を表す図である。図１１では帯域幅可変フィルタについて、改めて参照符号１１００を割当てている。帯域幅可変フィルタ１１００も所謂フィルタバンクを構成しており、その回路構成は図１１（ａ）に表されたとおりである。即ち、通過特性を異にする２個のローパスフィルタであるフィルタ１およびフィルタ４、ならびに、２個のハイパスフィルタであるフィルタ２およびフィルタ３の４つのフィルタをそれぞれ切換えスイッチであるスイッチ１、スイッチ２、スイッチ３、および、スイッチ４をこの順に介挿するようにして、これら４つのスイッチでそれらの直列接続の状態を切換えるように構成されている。
【００６０】
ローパスフィルタであるフィルタ１およびフィルタ４、ならびに、ハイパスフィルタであるフィルタ２およびフィルタ３の特性は図１１（ｂ）に示されたとおりであり、上述の４つのスイッチを図１１（ｃ）のテーブルに表示される如く切換えると、同テーブルに帯域１〜帯域４と示された特性が図１１（ｂ）に示されたように得られる。
スイッチ１、スイッチ２、スイッチ３、および、スイッチ４の切換えは、図示は省略するが、受信帯域制御信号ＣＴＬ８と略同様の制御信号を図８のシステムコントローラ８２０内の受信帯域調整機能部８２１からこれらのスイッチにおける制御信号入力端に各供給することによって行われる。
【００６１】
図１２は、他の実施例を示すブロック図である。図１２の通信装置１２００は、図７を参照して説明した送信機能部と略同様の送信機能部１２１０、図８を参照して説明した受信機能部と略同様の受信機能部１２２０、送受信を含むこの通信装置１２００の系全体を統括的に管理するシステムコントローラ１２３０と、受信信号に係る受信品質を検出する受信品質検出部１２４０を含んで構成される。
【００６２】
送信機能部１２１０は、既述のようなパルス幅および振幅を調整可能なパルス発生装置１２１１を有し、システムコントローラ１２３０のパルス幅および振幅制御信号生成部１２３１からの制御信号に応じてパルス幅および振幅が調整されたパルスがベースバンドを担うように変調されてアンテナ１２０１から送信される。
一方、アンテナ１２０１で受信された信号は、受信機能部１２２０の受信帯域調整機能部１２２１によってその受信帯域が適宜調整される。
【００６３】
この実施例では特に、受信機能部１２２０で受信された信号の受信品質が受信品質検出部１２４０によって検出される。この受信品質検出部１２４０は、エラー（ＢＥＲ）検出器１２４１、受信信号強度（ＲＳＳＩ）検出器１２４２、信号対ノイズ比（ＳＮＲ）検出器１２４３、帯域外ノイズ検出器１２４４、および、その他のパフォーマンスモニタ１２４５のうちの何れか一または複数のものを含んで構成される。
【００６４】
受信品質検出部１２４０によって検出された受信品質を表す値としてのＢＥＲ、ＳＮＲ、ＲＳＳＩ、或いは、帯域該ノイズのうちの何れかに応じて、システムコントローラ１２３０のパルス幅および振幅制御信号生成部１２３１は、被変調パルス信号の当該パルス幅を調節するパルス幅制御信号を生成する。
このようにして生成されるパルス幅制御信号が供給される送信機能部１２１０におけるパルス発生装置１２１１では、そのパルス幅制御信号に応じて、被変調パルス信号の当該単位持続時間が調節されることによって被変調パルス信号が占有する周波数帯域が調節されるため、受信品質に応じて効果的に他の通信が使用する帯域への干渉を抑制することが可能になる。
【００６５】
また、システムコントローラ１２３０のパルス幅および振幅制御信号生成部１２３１から発せられる振幅制御信号によって受信機能部１２２０の受信帯域調整機能部１２２１において受信帯域が調整される。
この場合、送信機能部１２１０で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００６６】
図１３は、他の実施例を表すブロック図である。この通信装置１３００は、図７を参照して説明した送信機能部と略同様の送信機能部１３１０、図８を参照して説明した受信機能部と略同様の受信機能部１３２０、送受信を含むこの通信装置１３００の系全体を統括的に管理するシステムコントローラ１３３０を含んで構成される。
【００６７】
送信機能部１３１０は、既述のようなパルス幅および振幅を調整可能なパルス発生装置１３１１を有し、システムコントローラ１３３０のパルス幅および振幅制御信号生成部１３３１からの制御信号に応じてパルス幅および振幅が調整されたパルスがベースバンドを担うように変調されてアンテナ１３０１から送信される。
一方、アンテナ１３０１で受信された信号は、受信機能部１３２０の受信帯域調整機能部１３２１によってその受信帯域が適宜調整される。
【００６８】
この実施例では特に、システムコントローラ１３３０のパルス幅および振幅制御信号生成部１３３１は、外部の他の無線通信装置（無線システム）１３５０から発せられた信号を受信し該受信された信号が担う情報に応じて被変調パルス信号の当該パルス幅を調節するパルス幅制御信号を生成するように構成されている。
従って、外部の他の無線通信装置（無線システム）１３５０から発せられた当該信号が受信されたときには、パルス幅および振幅制御信号生成部１３３１は、当該信号が担う情報に応じて被変調パルス信号のパルス幅を調節するパルス幅制御信号を発することになる。
【００６９】
該発せられたパルス幅制御信号が供給された送信機能部１３１０では、そのパルス発生装置１３１１において被変調パルス信号の当該単位持続時間を調節することによって被変調パルス信号が占有する周波数帯域が調節されるため、他の通信（例えば、外部の他の無線通信装置（無線システム）１３５０による通信）が使用する帯域への干渉を抑制することが可能になる。
また、システムコントローラ１３３０のパルス幅および振幅制御信号生成部１３３１から発せられる振幅制御信号によって受信機能部１３２０の受信帯域調整機能部１３２１において受信帯域が調整される。
この場合、送信機能部１３１０で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００７０】
図１４は、他の実施例を表すブロック図である。図１４の通信装置１４００は、図７を参照して説明した送信機能部と略同様の送信機能部１４１０、図８を参照して説明した受信機能部と略同様の受信機能部１４２０、送受信を含むこの通信装置１４００の系全体を統括的に管理するシステムコントローラ１４３０を含んで構成される。
送信機能部１４１０は、既述のようなパルス幅および振幅を調整可能なパルス発生装置１４１１を有し、システムコントローラ１４３０のパルス幅および振幅制御信号生成部１４３１からの制御信号に応じてパルス幅および振幅が調整されたパルスがベースバンドを担うように変調されてアンテナ１４０１から送信される。
【００７１】
一方、アンテナ１４０１で受信された信号は、受信機能部１４２０の受信帯域調整機能部１４２１によってその受信帯域が適宜調整される。
この実施例では特に、システムコントローラ１４３０のパルス幅および振幅制御信号生成部１４３１は、外部のシステム１４５０からの作用、即ち、使用者による外部操作に応じて被変調パルス信号の当該パルス幅を調節するパルス幅制御信号を生成するように構成されている。
【００７２】
従って、使用者による外部操作に応じて、パルス幅および振幅制御信号生成部１４３１は、被変調パルス信号のパルス幅を調節するパルス幅制御信号を発することになる。
該発せられたパルス幅制御信号が供給された送信機能部１４１０では、そのパルス発生装置１４１１において被変調パルス信号の当該単位持続時間を調節することによって被変調パルス信号が占有する周波数帯域が調節されるため、使用者によって意識的に他の通信が使用する帯域への干渉を抑制することが可能になる。
【００７３】
また、システムコントローラ１４３０のパルス幅および振幅制御信号生成部１４３１から発せられる振幅制御信号によって受信機能部１４２０の受信帯域調整機能部１４２１において受信帯域が調整される。
この場合、送信機能部１４１０で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００７４】
図１５は、他の実施例を表すブロック図である。図１５の通信装置１５００は、図７を参照して説明した送信機能部と略同様の送信機能部１５１０、図８を参照して説明した受信機能部と略同様の受信機能部１５２０、送受信を含むこの通信装置１５００の系全体を統括的に管理するシステムコントローラ１５３０を含んで構成される。
【００７５】
送信機能部１５１０は、既述のようなパルス幅および振幅を調整可能なパルス発生装置１５１１を有し、システムコントローラ１５３０のパルス幅および振幅制御信号生成部１５３１からの制御信号に応じてパルス幅および振幅が調整されたパルスがベースバンドを担うように変調されてアンテナ１５０１から送信される。
一方、アンテナ１５０１で受信された信号は、受信機能部１５２０の受信帯域調整機能部１５２１によってその受信帯域が適宜調整される。
【００７６】
この実施例では特に、システムコントローラ１５３０のパルス幅および振幅制御信号生成部１５３１は、外部の他の無線通信装置（無線システム）１５５０がアンテナ１５５１から送信する当該外部の他の無線通信装置１５５０の稼動または非稼動などの稼動状態を表す信号を、アンテナ１５４１を有する検波器１５４０で受信し、該受信された稼動または非稼動などの稼動状態を表す信号による検出出力に応じて、パルス幅制御信号生成部１５３１は、被変調パルス信号の当該パルス幅を調節するパルス幅制御信号を生成するように構成されている。
【００７７】
即ち、この実施例では、検波器１５４０とシステムコントローラ１５３０の該当する機能部によって、外部の通信装置の稼動または非稼動などの稼動状態を検出する稼動状態検出手段が構成され、この稼動状態検出手段の検出出力に応じて、パルス幅制御信号が生成され、結果的に、外部の通信装置の稼動または非稼動などの稼動状態に応じて送信機能部１５１０のパルス発生装置１５１１における出力パルス幅が制御される。
従って、外部の通信装置による通信に対して実質的に障害を及ぼす期間に限って使用する帯域への干渉を効果的に抑制することが可能になる。
【００７８】
また、システムコントローラ１５３０のパルス幅および振幅制御信号生成部１５３１から発せられる振幅制御信号によって受信機能部１５２０の受信帯域調整機能部１５２１において受信帯域が調整される。
この場合、送信機能部１５１０で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００７９】
図１６は、他の実施例を表すブロック図である。図１６の通信装置１６００は、図７を参照して説明した送信機能部と略同様の送信機能部１６１０、図８を参照して説明した受信機能部と略同様の受信機能部１６２０、送受信を含むこの通信装置１６００の系全体を統括的に管理するシステムコントローラ１６３０を含んで構成される。
【００８０】
送信機能部１６１０は、既述のようなパルス幅および振幅を調整可能なパルス発生装置１６１１を有し、システムコントローラ１６３０のパルス幅および振幅制御信号生成部１６３１からの制御信号に応じてパルス幅および振幅が調整されたパルスがベースバンドを担うように変調されてアンテナ１６０１から送信される。
一方、アンテナ１６０１で受信された信号は、受信機能部１６２０の受信帯域調整機能部１６２１によってその受信帯域が適宜調整される。
【００８１】
この実施例では特に、システムコントローラ１６３０のパルス幅および振幅制御信号生成部１６３１は、外部の他の無線通信装置（無線システム）１６５０から送信されてくる信号に応じるように作動する。
この場合、外部の他の無線通信装置（無線システム）１６５０は、送信部１６５２および受信部１６５３を備え、アンテナ１６５１を通して受信部１６５３で受信した信号から受信品質に係る種々の特性を監視する種々のパフォーマンスモニタ１６５４を備えたものであると想定している。
【００８２】
この外部の他の無線通信装置（無線システム）１６５０は、現在時点での通信相手であるときには、種々のパフォーマンスモニタ１６５４を通して検出されたその時点での受信品質に応じて、現在時点での通信に適合するパルス幅を判断し、通信に用いるパルス幅を当該判断によるパルス幅に合わせることを相手に要求するパルス幅調整要求信号を送信部１６５２からアンテナ１６５１を通して送信する。
【００８３】
上述のようにして外部の他の無線通信装置（無線システム）１６５０から発せられた当該パルス幅調整要求信号が、受信機能部１６２０で受信されシステムコントローラ１６３０に転送されると、システムコントローラ１６３０のパルス幅および振幅制御信号生成部１６３１は、当該パルス幅調整要求信号が担う情報（要求）に応じて被変調パルス信号のパルス幅を調節するパルス幅制御信号を発することになり、該発せられたパルス幅制御信号に応じて作動するパルス発生装置１６１１において被変調パルス信号の当該単位持続時間を調節することによって被変調パルス信号が占有する周波数帯域が調節されるため、上記外部の無線通信装置による要求に応える形で、その無線通信装置との通信を適応的に良好な状況を維持して行うことが可能になる。
【００８４】
また、システムコントローラ１６３０のパルス幅および振幅制御信号生成部１６３１から発せられる振幅制御信号によって受信機能部１６２０の受信帯域調整機能部１６２１において受信帯域が調整される。
この場合、送信機能部１６１０で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００８５】
図１７は、他の実施例を表すブロック図である。図１７の通信装置１７００は、図７を参照して説明した送信機能部と略同様の送信機能部１７１０、図８を参照して説明した受信機能部と略同様の受信機能部１７２０、送受信を含むこの通信装置１７００の系全体を統括的に管理するシステムコントローラ１７３０を含んで構成される。
【００８６】
送信機能部１７１０は、既述のようなパルス幅および振幅を調整可能なパルス発生装置１７１１を有し、システムコントローラ１７３０のパルス幅および振幅制御信号生成部１７３１からの制御信号に応じてパルス幅および振幅が調整されたパルスがベースバンドを担うように変調されてアンテナ１７０１から送信される。
一方、アンテナ１７０１で受信された信号は、受信機能部１７２０の受信帯域調整機能部１７２１によってその受信帯域が適宜調整される。
【００８７】
この実施例では特に、システムコントローラ１７３０のパルス幅および振幅制御信号生成部１７３１は、外部の他の無線通信装置（無線システム）１７５０から送信されてくる信号に応じるように作動する。
この場合、外部の他の無線通信装置（無線システム）１７５０は、送信部１７５２および受信部１７５３を備え、アンテナ１７５１を通して受信部１７５３で受信した信号から受信品質に係る種々の特性を監視する種々のパフォーマンスモニタ１７５４を備えたものであると想定している。
この外部の他の無線通信装置（無線システム）１７５０は、現在時点での通信相手であるときには、種々のパフォーマンスモニタ１７５４を通して検出されたその時点での受信品質に応じて、現在時点での通信に適合するパルス幅を判断し、通信に用いるパルス幅を当該判断によるパルス幅に調整して送信部１７５２からアンテナ１７５１を通して送信する。
【００８８】
上述のようにしてパルス幅が調整されて外部の他の無線通信装置（無線システム）１７５０から発せられた信号が、受信機能部１７２０で受信されると共にパルス幅検出器１７４０によってその信号のパルス幅が検出され、該検出値がシステムコントローラ１７３０に転送されると、システムコントローラ１７３０のパルス幅および振幅制御信号生成部１７３１は、当該パルス幅に応じて被変調パルス信号のパルス幅を調節するパルス幅制御信号を発することになり、該発せられたパルス幅制御信号に応じて作動するパルス発生装置１７１１において被変調パルス信号の当該単位持続時間であるパルス幅が当該検出されたパルス幅に合わせ込まれ、被変調パルス信号が占有する周波数帯域が最適に調節される。
【００８９】
従って、上記外部の無線通信装置による要求に応える形で、その無線通信装置との通信を適応的に良好な状況を維持して行うことが可能になる。
また、システムコントローラ１７３０のパルス幅および振幅制御信号生成部１７３１から発せられる振幅制御信号によって受信部１７２０の受信帯域調整機能部１７２１において受信帯域が調整される。
この場合、送信機能部で設定される被変調パルス信号の当該パルス幅の調節値に対応するように受信信号の帯域が調節されるため、送信および受信において他の通信機器に対し干渉を与えまたは干渉を被ることが極小となるように抑制されるべく、パルス幅および受信信号帯域ともに最適化が図られる。
【００９０】
図１８は、他の実施の形態としての通信装置に属する更に他の実施例を表すブロック図である。図１８の通信装置１８００は、図７を参照して説明した送信機能部と略同様の送信機能部１８１０、図８を参照して説明した受信機能部と略同様の受信機能部１８２０、送受信を含むこの通信装置１８００の系全体を統括的に管理するシステムコントローラ１８３０と、外部の電子機器に関する物象の状態の量を検出する各種のセンサ１８４０を含んで構成される。
【００９１】
送信機能部１８１０は、既述のようなパルス幅および振幅を調整可能なパルス発生装置１８１１を有し、システムコントローラ１８３０のパルス幅および振幅制御信号生成部１８３１からの制御信号に応じてパルス幅および振幅が調整されたパルスがベースバンドを担うように変調されてアンテナ１８０１から送信される。
一方、アンテナ１８０１で受信された信号は、受信機能部１８２０の受信帯域調整機能部１８２１によってその受信帯域が適宜調整される。
【００９２】
この実施例では特に、外部の電子機器に関する物象の状態の量が各種のセンサ１８４０によって検出される。この各種のセンサ１８４０は、ＣＰＵのノイズセンサ１８４１、液晶のノイズセンサ１８４２、熱センサ１８４３、局部発振器の漏洩電力センサ１８４４、および、その他のセンサ１８４５のうちの何れか一または複数のものを含んで構成される。
【００９３】
各種のセンサ１８４０によって検出された外部の電子機器の稼動状況と相関の高い物象の状態の量の検出出力に応じて、システムコントローラ１８３０のパルス幅および振幅制御信号生成部１８３１は、被変調パルス信号の当該パルス幅を調節するパルス幅制御信号を生成する。ここで、外部の電子機器の稼動状況と相関の高い物象の状態の量とは、外部の電子機器の物理的な状態の量であり、ノイズ、熱、振動など外部の電子機器の動作に伴い発生する出力を示す。
このようにして生成されるパルス幅制御信号が供給される送信機能部１８１０におけるパルス発生装置１８１１では、そのパルス幅制御信号に応じて、被変調パルス信号の当該単位持続時間が調節されることによって被変調パルス信号が占有する周波数帯域が調節されるため、受信品質に応じて効果的に他の通信が使用する帯域への干渉を抑制することが可能になる。
【００９４】
図２２は、通信装置１８００と同一の筺体内の機器から発生するノイズとパルス幅との関係を示す。この図が示すように、通信装置１８００によるパルス通信の方が、他の無線機器の通信より高い優先度である場合において、ＣＰＵや液晶からのノイズが所定の基準値よりも大きい場合は、パルス通信の品質を高めるべく通信装置１８００のパルスの幅を狭める。その後、ノイズが所定の基準値よりも小さくなった場合、通信装置１８００のシステムに最適なパルス幅にする。他方で、他の無線機器の通信の方が、通信装置１８００によるパルス通信の方よりも高い優先度である場合において、ＣＰＵや液晶からのノイズが所定の基準値よりも大きい場合は、例えば、携帯電話の音声通信のように、他の無線機器の通信中を示すノイズを検知した際には、その通信への妨害を回避すべく通信装置１８００のパルスの幅を広げる。その後、ノイズが所定の基準値よりも小さくなった場合、通信装置１８００のシステムに最適なパルス幅にする。
【００９５】
また、システムコントローラ１８３０のパルス幅および振幅制御信号生成部１８３１から発せられる振幅制御信号によって受信機能部１８２０の受信帯域調整機能部１８２１において受信帯域が調整される。
この場合、送信機能部１８１０で設定される被変調パルス信号の当該パルス幅の調節値に対応するように受信機能部１８２０における受信信号の帯域が調節されるため、送信および受信において他の通信機器に対し干渉を与えまたは干渉を被ることが極小となるように抑制されるべく、パルス幅および受信信号帯域ともに最適化が図られる。
【００９６】
図１９は、他の実施例を表すブロック図である。図１９の通信装置１９００は、図７を参照して説明した送信機能部と略同様の送信機能部１９１０、図８を参照して説明した受信機能部と略同様の受信機能部１９２０、送受信を含むこの通信装置１９００の系全体を統括的に管理するシステムコントローラ１９３０を含んで構成される。
【００９７】
送信機能部１９１０は、既述のようなパルス幅および振幅を調整可能なパルス発生装置１９１１を有し、システムコントローラ１９３０のパルス幅および振幅制御信号生成部１９３１からの制御信号に応じてパルス幅および振幅が調整されたパルスがベースバンドを担うように変調されてアンテナ１９０１から送信される。
この実施例では特に、受信機能部１９２０で受信された信号の受信品質が受信品質検出部１９４０によって検出される。この受信品質検出部１９４０は、エラー（ＢＥＲ）検出器１９４１、受信信号強度（ＲＳＳＩ）検出器１９４２、信号対ノイズ比（ＳＮＲ）検出器１９４３、帯域外ノイズ検出器１９４４、および、その他のパフォーマンスモニタ１９４５のうちの何れか一または複数のものを含んで構成される。
【００９８】
また、システムコントローラ１９３０のパルス幅および振幅制御信号生成部１９３１は、図中他の無線システム２と表記の外部の電子機器１９５７から発せられた信号を受信し該受信された信号が担う情報に応じて被変調パルス信号の当該パルス幅を調節するパルス幅制御信号を生成するように構成されている。
更にまた、システムコントローラ１９３０のパルス幅および振幅制御信号生成部１９３１は、図中他の無線システム１と表記された外部の他の無線通信装置（無線システム）１９５５がアンテナ１９５６から送信する当該外部の他の無線通信装置１９５５の稼動または非稼動などの稼動状態を表す信号を、アンテナ１９８１を有する検波器１９８０で受信し、該受信された稼動または非稼動などの稼動状態を表す信号による検出出力に応じて、パルス幅制御信号生成部１９３１は、被変調パルス信号の当該パルス幅を調節するパルス幅制御信号を生成するように構成されている。
【００９９】
即ち、この実施例では、検波器１９８０とシステムコントローラ１９３０の該当する機能部によって、外部の他の無線通信装置１９５５の稼動または非稼動などの稼動状態を検出する稼動状態検出手段が構成され、この稼動状態検出手段の検出出力に応じて、パルス幅制御信号が生成され、結果的に、外部の他の無線通信装置１９５５の稼動または非稼動などの稼動状態に応じて送信機能部１９１０のパルス発生装置１９１１における出力パルス幅が制御される。
【０１００】
また、システムコントローラ１９３０のパルス幅および振幅制御信号生成部１９３１は、外部の他の無線通信装置（無線システム）１９５０から送信されてくる信号に応じるように作動する。
外部の他の無線通信装置（無線システム）１９５０は、送信部１９５２および受信部１９５３を備え、アンテナ１９５１を通して受信部１９５３で受信した信号から受信品質に係る種々の特性を監視する種々のパフォーマンスモニタ１９５４を備えている。
【０１０１】
この外部の他の無線通信装置（無線システム）１９５０は、現在時点での通信相手であるときには、種々のパフォーマンスモニタ１９５４を通して検出されたその時点での受信品質に応じて、現在時点での通信に適合するパルス幅を判断し、通信に用いるパルス幅を当該判断によるパルス幅に合わせることを相手に要求するパルス幅調整要求信号を送信部１９５２からアンテナ１９５１を通して送信する。
【０１０２】
上述のようにして外部の他の無線通信装置（無線システム）１９５０から発せられた当該パルス幅調整要求信号が、受信機能部１９２０で受信されシステムコントローラ１９３０に転送されると、システムコントローラ１９３０のパルス幅および振幅制御信号生成部１９３１は、当該パルス幅調整要求信号が担う情報（要求）に応じて被変調パルス信号のパルス幅を調節するパルス幅制御信号を発することになり、該発せられたパルス幅制御信号に応じて作動するパルス発生装置１９１１において被変調パルス信号の当該単位持続時間を調節することによって被変調パルス信号が占有する周波数帯域が調節されるため、上記外部の電子機器１９５７による要求に応える形で、その電子機器との通信を適応的に良好な状況を維持して行うことが可能になる。
【０１０３】
更にまた、外部の他の無線通信装置（無線システム）１９５０は、現在時点での通信相手であるときには、種々のパフォーマンスモニタ１９５４を通して検出されたその時点での受信品質に応じて、現在時点での通信に適合するパルス幅を判断し、通信に用いるパルス幅を当該判断によるパルス幅に調整して送信部１９５２からアンテナ１９５１を通して送信するように構成されたものであり得る。
【０１０４】
上述のようにしてパルス幅が調整されて外部の他の無線通信装置（無線システム）１９５０から発せられた信号が、受信機能部１９２０で受信されると共にパルス幅検出器１９６０によってその信号のパルス幅が検出され、該検出値がシステムコントローラ１９３０に転送されると、システムコントローラ１９３０のパルス幅および振幅制御信号生成部１９３１は、当該パルス幅に応じて被変調パルス信号のパルス幅を調節するパルス幅制御信号を発することになり、該発せられたパルス幅制御信号に応じて作動するパルス発生装置１９１１において被変調パルス信号の当該単位持続時間であるパルス幅が当該検出されたパルス幅に合わせ込まれ、被変調パルス信号が占有する周波数帯域が最適に調節される。
【０１０５】
従って、上記外部の電子機器１９５７による要求に応える形で、その電子機器との通信を適応的に良好な状況を維持して行うことが可能になる。
更に、外部の電子機器１９５７に関する物象の状態の量を検出する各種のセンサ１９７０による検出出力もシステムコントローラ１９３０に供給されるように構成されている。ここに、各種のセンサ１９７０は、ＣＰＵのノイズセンサ１９７１、液晶のノイズセンサ１９７２、熱センサ１９７３、局部発振器の漏洩電力センサ１９７４、および、その他のセンサ１９７５のうちの何れか一または複数のものを含んで構成される。
各種のセンサ１９７０によって検出された外部の電子機器１９５７の稼動状況と相関の高い物象の状態の量の検出出力に応じて、システムコントローラ１９３０のパルス幅および振幅制御信号生成部１９３１は、被変調パルス信号の当該パルス幅を調節するパルス幅制御信号を生成する。
【０１０６】
以上、図１９の通信装置１９００では、システムコントローラ１９３０は入力される上述のような種々の状態量（入力データ）のうちの一のものまたは複数のものに選択的に依拠してパルス幅および振幅制御信号生成部１９３１で制御信号を生成し、送信機能部１９１０のパルス発生装置１９１１に供給する。この供給を受けたパルス発生装置１９１１はこの制御信号に基づいて出力パルスの幅の最適化が図られた信号を出力する。
また、送信機能部１９１０で設定される被変調パルス信号の当該パルス幅の調節値に対応するように受信機能部１９２０における受信信号の帯域が調節されるため、送信および受信において他の通信機器に対し干渉を与えまたは干渉を被ることが極小となるように抑制されるべく、パルス幅および受信信号帯域ともに最適化が図られる。
【０１０７】
図２０は、本実施例の通信装置におけるパルス幅の調整の態様を例示する図である。図２０は、特に、自装置の近傍に位置している他の無線システム（通信装置）が、一定の周期で送受信を交互に行うことが予め分かっている場合、その無線システムが送信を開始したことを感知したら、自動でパルス幅の調整を行うといった制御態様を表している。
【０１０８】
図２０（ａ）は、近傍の無線システムの送受信の周期に合わせて既述のシステムコントローラにおけるパルス幅および振幅制御信号生成部が発する制御信号によって送信機能部のパルス発生装置が発するパルスの幅を調整することを示している。
ここに図示の例では、近傍の無線システムが送信モードにあるときには自装置から出力するパルスの幅を狭くし、受信時モードにあるときには広くすることにより、近傍の無線システムへの与干渉を極力抑えるとともに、必要以上に自装置における通信品質を落とさなくてもよい。
【０１０９】
図２０（ｂ）は、近傍の無線システムが通信を開始したことを検知したら、自装置から出力するパルスの幅を広くし、近傍の無線システムにおける通信の休止期間では、自装置から出力するパルスの幅を狭くすることを示している。パルスの幅を広くすることにより与干渉を抑え、送信がしばらく止んだら近傍の無線システムの通信が完了したとして、パルスの幅を狭くし自分側の通信環境を回復させる。
【０１１０】
図２３は、他の実施例を表すブロック図である。図２３の通信装置２０００は、送信機能部２０１０、受信機能部２０２０、システムコントローラ２０３０、電源供給部２０５０および電源残量検出部２０６０を含んで構成される。送信機能部２０１０は、図７を参照して説明した送信機能部７００ａと略同様の送信機能を有する。受信機能部２０２０は、図８を参照して説明した受信機能部８００ａと略同様の受信機能を有する。システムコントローラ２０３０は、通信装置２０００の全体を統括的に管理する。電源供給部２０５０は、通信装置２０００に電源を供給し、電源残量検出部２０６０は、電源供給部２０５０の電源残量を検出する。
【０１１１】
更に、送信機能部２０１０は、既述のようなパルス幅および振幅を調整可能なパルス発生装置２０１１を有し、システムコントローラ２０３０のパルス幅および振幅制御信号生成部２０３１からの制御信号に応じてパルス幅および振幅が調整されたパルスがベースバンドを担うように変調されてアンテナ２００１から送信される。
一方、アンテナ２００１で受信された信号は、受信機能部２０２０の受信帯域調整機能部２０２１によってその受信帯域が適宜調整される。
【０１１２】
この実施例では、電源供給部２０５０は一次電池や二次電池を想定する。また、電源残量検出部２０６０は、一次電池や二次電池の電圧等を測定して初期状態の電圧と比較することにより、これらの電池の残量を検出し、検出した電池の残量に関する情報をシステムコントローラ２０３０に送る。システムコントローラ２０３０のパルス幅および振幅制御信号生成部２０３１は、電池の残量に関する情報に応じて、被変調パルス信号の当該パルス幅や振幅を調節するパルス幅制御信号を生成する。
【０１１３】
図２４は、電池の使用に伴う電圧の推移と、パルス幅制御信号が示すパルスとの一方の関係を示す図である。この図に示すように、電池の使用に伴い電圧が低下するに従い、（Ａ）、（Ｂ）、（Ｃ）および（Ｄ）のようにパルス幅および振幅が調整される。この場合、電池の残量が少なくなるに従い、優先度の高い近傍の通信に対する妨害を回避すべく、パルス幅は広がると共に、振幅は小さくなる。また、図２５は、電池の使用に伴う電圧の推移と、パルス幅制御信号が示すパルスとの他方の関係を示す図である。この図に示すように、電池の使用に伴い電圧が低下するに従い、（Ａ）、（Ｂ）、（Ｃ）および（Ｄ）のようにパルス幅および振幅が調整される。この場合、電池の残量が少なくなるに従い、通信装置２０００の消費電力を抑えるべく、パルス幅は狭くなると共に、振幅は大きくなる。
【０１１４】
図２６は、他の実施例を表すブロック図である。図２６の通信装置２１００は、送信機能部２１１０、受信機能部２１２０、システムコントローラ２１３０および通信距離検出部２１５０を含んで構成される。送信機能部２１１０は、図７を参照して説明した送信機能部７００ａと略同様の送信機能を有する。受信機能部２１２０は、図８を参照して説明した受信機能部８００ａと略同様の機能を有する。システムコントローラ２１３０は、通信装置２１００の全体を統括的に管理する。通信距離検出部２１５０は、通信装置２１００の通信相手との通信距離を検出する。
【０１１５】
更に、送信機能部２１１０は、既述のようなパルス幅および振幅を調整可能なパルス発生装置２１１１を有し、システムコントローラ２１３０のパルス幅および振幅制御信号生成部２１３１からの制御信号に応じてパルス幅および振幅が調整されたパルスがベースバンドを担うように変調されてアンテナ２１０１から送信される。
一方、アンテナ２１０１で受信された信号は、受信機能部２１２０の受信帯域調整機能部２１２１によってその受信帯域が適宜調整される。
【０１１６】
本実施例では、通信距離検出部２１５０は、通信装置２１００の通信相手である他の無線システム２１５５との通信距離（ｄ）を検出し、検出した通信距離に関する情報をシステムコントローラ２１３０に送る。尚、通信距離（ｄ）は、例えば、特開２００７−１４２６６８号公報に開示されているような方法で、通信で使用するパルスから取得できる。システムコントローラ２１３０のパルス幅および振幅制御信号生成部２１３１は、通信距離（ｄ）に関する情報に応じて、被変調パルス信号の当該パルス幅や振幅を調節するパルス幅制御信号を生成する。図２７は、本実施例における通信距離と、パルス幅および振幅の関係を示す図である。この図に示すように、通信距離が長くなるに従い、パルス幅は段階的に狭くなると共に、振幅は段階的に大きくなる。この結果、通信距離が長くなった場合でも、通信品質を維持できる。
【０１１７】
また、上述したような通信距離（ｄ）に換えて、通信するデータ量に応じてパルス幅を調整しても良い。例えば、データを相手側に届ける時間的な条件が保障されたリアルタイム通信を行う場合は、通信品質を向上させるべく、パルス幅を狭くし、通信エラーによる再送信等を減らしてトラフィックの増加を抑えても良い。他方で、非リアルタイム通信を行う場合は、トラフィックに余裕があるため、他の通信への干渉を抑えるべくパルス幅を広くしても良い。
【０１１８】
また、それぞれの実施例で述べた通信装置を、情報端末装置内の離れた機能部間の通信に適用しても良い。図２８は、このような通信装置をクラムシェル型携帯電話に適用した図であり、この図はクラムシェル型携帯電話を開いた様態を示している。
図２８において、第１筐体部３０１の表面には、操作ボタン３０４が配置されると共に、第１筐体部３０１の下端にはマイク３０５が設けられ、第１筐体部３０１の上端には図示を略した外部無線通信用アンテナが取り付けられている。また、第１筐体部３０１とヒンジ３０３を介して接続された第２筐体部３０２の表面には、表示体３０８が設けられると共に、第２筐体部３０２の上端にはスピーカ３０９が設けられている。また、第１筐体部３０１および第２筐体部３０２には、第１筐体部３０１と第２筐体部３０２との間でパルスによる無線通信を行うべく、本実施例で説明した通信装置（図示は略す）と、内部無線通信用アンテナ３０７、３１０とがそれぞれ設けられている。
【０１１９】
このような構成において、第１筐体部３０１と第２筐体部３０２との間のデータ伝送を行うことができる。例えば、外部無線通信用アンテナを介して第１筐体部３０１に取り込まれた画像データや音声データを、内部無線通信用アンテナ３０７、３１０を用いた内部無線通信にて第２筐体部３０２に送り、表示体３０８に画像を表示させたり、スピーカ３０９から音声を出力させたりすることができる。
【０１２０】
この場合、携帯電話と基地局との通信モード、通信距離、外部の電子機器の物理的な状態の量、通信される信号が担う情報等に応じて、第１筐体部３０１と第２筐体部３０２とで通信されるパルスの幅や振幅を調整することにより、携帯電話と基地局間の与干渉や被干渉を抑制できる。また、第１筐体部３０１と第２筐体部３０２との間のデータ伝送を有線で行う必要がなくなり、多ピン化されたフレキシブル配線基板をヒンジ３０３に通す必要がなくなり、ヒンジ３０３の構造を単純にできる。
【０１２１】
以上、各図を参照して説明した本発明の技術思想は、一定の周波数を有する搬送波を順次のシンボル期間のうち該当するシンボル期間毎に該シンボル期間以内の所定の単位持続時間だけ継続的に発生させることにより当該単位持続時間によって規定されるパルス幅を有する形態の被変調パルス信号を用いて、順次のシンボル期間に対応するベースバンド信号の順次の区間における情報を担う通信方法であって、通信の環境に係る所定の条件に応じて被変調パルス信号の当該パルス幅を調節することによって被変調パルス信号が占有する周波数帯域を調節することを特徴とする通信方法としても要約される。
【０１２２】
この通信方法では、一定の周波数を有する搬送波を順次のシンボル期間のうち該当するシンボル期間毎に該シンボル期間以内の所定の単位持続時間だけ継続的に発生させることにより当該単位持続時間によって規定されるパルス幅を有する形態の被変調パルス信号を用いて、順次のシンボル期間に対応するベースバンド信号の順次の区間における情報を担う形で通信が行われるに際して、通信の環境に係る所定の条件に応じて被変調パルス信号の当該パルス幅を調節することによって被変調パルス信号が占有する周波数帯域が調節されるため、他の通信が使用する帯域への干渉が効果的に抑制された通信が行われ得る。
【図面の簡単な説明】
【０１２３】
【図１】本実施例に係わるパルス発生装置の回路図。
【図２】本実施例に係わるパルス発生装置の論理回路の詳細を表す回路図。
【図３】本実施例に係わるパルス発生装置における各部の信号波形図。
【図４】本実施例に係わるパルス発生装置の他の実施例を表す図。
【図５】本実施例に係わるパルス発生装置に適用される制御信号を生成するための回路の例を示す図。
【図６】本実施例に係わるパルス発生装置に適用される制御信号を生成するための回路の例を示す図。
【図７】本実施例に係わる通信装置を表すブロック図。
【図８】本実施例に係わる通信装置を表すブロック図。
【図９】帯域幅可変フィルタ一の構成例を表す図。
【図１０】帯域幅可変フィルタの他の構成例を表す図。
【図１１】帯域幅可変フィルタの他の構成例を表す図。
【図１２】本実施例に係わる通信装置の他の実施例を表すブロック図。
【図１３】本実施例に係わる通信装置の他の実施例を表すブロック図。
【図１４】本実施例に係わる通信装置の他の実施例を表すブロック図。
【図１５】本実施例に係わる通信装置の他の実施例を表すブロック図。
【図１６】本実施例に係わる通信装置の他の実施例を表すブロック図。
【図１７】本実施例に係わる通信装置の他の実施例を表すブロック図。
【図１８】本実施例に係わる通信装置の他の実施例を表すブロック図。
【図１９】本実施例に係わる通信装置の他の実施例を表すブロック図。
【図２０】本実施例に係わる通信装置におけるパルス幅の調整の態様を例示する図。
【図２１】本発明の原理に係る作用を表す図。
【図２２】ノイズとパルス幅との関係を示す図。
【図２３】本実施例に係わる通信装置の他の実施例を表すブロック図。
【図２４】電池の使用に伴う電圧の推移とパルスとの一方の関係を示す図。
【図２５】電池の使用に伴う電圧の推移とパルスとの他方の関係を示す図。
【図２６】本実施例に係わる通信装置の他の実施例を表すブロック図。
【図２７】本実施例に係わる通信距離とパルス幅および振幅の関係を示す図。
【図２８】本実施例に係わる通信装置をクラムシェル型携帯電話に適用した図。
【図２９】本実施例に係わるパルス発生装置の原理を示す図。
【符号の説明】
【０１２４】
１００、２００、７１０、１２１１、１３１１、１４１１、１５１１、１６１１、１７１１、１８１１、１９１１、２０１１、２１１１、２３００…パルス発生装置    ７００、８００、１２００、１３００、１４００、１５００、１６００、１７００、１８００、１９００、２０００、２１００…通信装置    ７００ａ、１２１０、１３１０、１４１０、１５１０、１６１０、１７１０、１８１０、１９１０、２０１０、２１１０…送信機能部    ８００ａ、１２２０、１３２０、１４２０、１５２０、１６２０、１７２０、１８２０、１９２０、２０２０、２１２０…受信機能部    ７２０、８２０、１２３０、１３３０、１４３０、１５３０、１６３０、１７３０、１８３０、１９３０、２０３０、２１３０…システムコントローラ    ７２１、１２３１、１３３１、１４３１、１５３１、１６３１、１７３１、１８３１、１９３１、２０３１、２１３１…パルス幅および振幅制御信号生成部    ８２１、１２２１、１３２１、１４２１、１５２１、１６２１、１７２１、１８２１、１９２１、２０２１、２１２１…受信帯域調整機能部    １２４０、１９４０…受信品質検出部    １３５０、１６５０、１７５０、１９５０…他の無線通信装置（無線システム）    １８４０、１９７０…各種のセンサ。
【図１】
2008245247.tif 000003
【図２】
2008245247.tif 000004
【図３】
2008245247.tif 000005
【図４】
2008245247.tif 000006
【図５】
2008245247.tif 000007
【図６】
2008245247.tif 000008
【図７】
2008245247.tif 000009
【図８】
2008245247.tif 000010
【図９】
2008245247.tif 000011
【図１０】
2008245247.tif 000012
【図１１】
2008245247.tif 000013
【図１２】
2008245247.tif 000014
【図１３】
2008245247.tif 000015
【図１４】
2008245247.tif 000016
【図１５】
2008245247.tif 000017
【図１６】
2008245247.tif 000018
【図１７】
2008245247.tif 000019
【図１８】
2008245247.tif 000020
【図１９】
2008245247.tif 000021
【図２０】
2008245247.tif 000022
【図２１】
2008245247.tif 000023
【図２２】
2008245247.tif 000024
【図２３】
2008245247.tif 000025
【図２４】
2008245247.tif 000026
【図２５】
2008245247.tif 000027
【図２６】
2008245247.tif 000028
【図２７】
2008245247.tif 000029
【図２８】
2008245247.tif 000030
【図２９】
2008245247.tif 000031